(57)【要約】【目的】本発明は、支柱を立設する箇所において適切な深さと広さの掘削面積を確保する必要もなく、また、掘削用重機が使用できないほど狭い箇所で支柱の立設作業を行わなければならない場合に、作業時間の大半を人力による掘削作業に費やす必要がない支柱の立設装置を提供することを目的とするものである。【構成】本発明は、支柱を略垂直方向に立設保持する支柱保持部本体を有し、前記支柱保持部本体は、前記支柱の基部が遊嵌して保持される筒状の支柱遊嵌部と、前記支柱遊嵌部の底部に連結される固定部と、前記固定部より地面中に向かって打ち込まれ、前記支柱遊嵌部及び固定部を地面上に固着する杭と、を有して構成される、ことを特徴とする。【選択図】    図１
2018035578.tif 000002
【特許請求の範囲】
【請求項１】
支柱を略垂直方向に立設保持する支柱保持部本体を有し、
前記支柱保持部本体は、前記支柱の基部が遊嵌して保持される筒状の支柱遊嵌部と、前記支柱遊嵌部の底部に連結される固定部と、前記固定部より地面中に向かって打ち込まれ、前記支柱遊嵌部及び固定部を地面上に固着する杭と、を有して構成される、
ことを特徴とする支柱の立設装置。
【請求項２】
前記杭は、前記固定部の外周端内側に設けられた筒状の杭打ちガイド部より地面中に打ち込まれ、打ち込まれた杭は前記杭打ちガイド部の側面から挿入された保持具により引き抜き不可とされて保持されると共に、杭引き抜きの際には、前記保持具を杭外周面より離して、杭を杭打ちガイド部内で遊嵌状態とし、杭上端面に設けられたねじ孔を利用して引き抜き可能とした、
ことを特徴とする請求項１記載の支柱の立設装置。
【請求項３】
前記杭の上端面に上方へ突出する雄ねじ部を設け、該杭を板状の位置決めプレートを介して、位置決めして地面中に打ち込むと共に、前記打ち込まれた杭の雄ねじ部を、前記支柱保持部本体の固定部に設けられた貫通孔に貫通させ、前記雄ねじ部にナットを螺挿して前記支柱保持部本体を地面上に固定した、
ことを特徴とする請求項１記載の支柱の立設装置。
【請求項４】
前記筒状の支柱遊嵌部側面からは該支柱遊嵌部内に遊嵌した支柱を略垂直に保持すべく複数の調節具が支柱遊嵌部内に向かって挿通され、前記支柱を略垂直方向に向けて保持調節する、
ことを特徴とする請求項１、請求項２または請求項３記載の支柱の立設装置。
【請求項５】
前記筒状をなす支柱遊嵌部には、支柱遊嵌部内部と外部とを連通する水抜き孔が設けられた、
ことを特徴とする請求項１、請求項２、請求項３または請求項４記載の支柱の立設装置。
【請求項６】
支柱を略垂直方向に立設保持する支柱保持部本体を有し、
前記支柱保持部本体は、前記支柱の基部が遊嵌して保持される筒状の支柱遊嵌部と、前記支柱遊嵌部の底部に連結される固定部と、前記固定部より地面中に向かって打ち込まれ、前記支柱遊嵌部及び固定部を地面上に固着する杭と、を有して構成され、
前記支柱保持部本体を構成する支柱遊嵌部と固定部と杭とは略直線状に一体成形されて構成された、
ことを特徴とする支柱の立設装置。
【発明の詳細な説明】
【技術分野】
【０００１】
本発明は、例えば列車あるいは電車の線路の脇などにおいて配線箱などを先端に取り付けた支柱を立設する際に使用される装置であって、特に施工現場にて、掘削して支柱の立設が難しいとされる狭い箇所においても支柱を立設することができる支柱の立設装置に関するものである。
【背景技術】
【０００２】
従来、例えば、地上区間において配線箱などを先端に取り付けた支柱を立設する際は、当該支柱の転倒、沈下防止用の補強材料として、支柱の下端側に設けられた地中埋設部に、水平方向に向かって延出するよう取り付けた根かせを取り付け、当該根かせを支柱の基礎部にして前記支柱を略垂直方向に立設するものとしていた。
【０００３】
しかしながら、前記根かせを取り付けた支柱の下端側を埋設し、もって支柱を揺るぎなく略垂直方向に立設するには、前記根かせを充分な深さに埋設し、支柱を立設する必要があるため、掘削箇所において適切な深さと広さの掘削面積を確保できなければならない。
【０００４】
また、掘削用重機が使用できないほど狭い箇所で支柱の立設作業を行わなければならない場合も想定され、その様な場合には、掘削作業を人力のみで行わなければならず、作業時間の大半をその掘削作業に費やさなければならないとの課題がある。
【０００５】
さらに、前記立設した支柱を撤去しなければならなくなったとき、従来では再び広く深い箇所まで掘削を行い、支柱の下端側である地中埋設部に埋設されている根かせを取り出せる状態とし、その上で支柱を撤去しなければならなかった。
【先行技術文献】
【特許文献】
【０００６】
【特許文献１】特開２０１５―１０４２４号公報
【発明の概要】
【発明が解決しようとする課題】
【０００７】
かくして、本発明は前記従来からの課題を解決するために創案されたものであり、支柱を立設する際に、当該支柱の転倒、沈下防止用の補強材料として、支柱の下端側に設けられた地中埋設部に、水平方向に向かって延出するよう取り付けた根かせを取り付ける必要がないため、前記根かせを充分な深さに埋設して支柱を立設する必要がなく、掘削箇所において適切な深さと広さの掘削面積を確保する必要もなく、また、掘削用重機が使用できないほど狭い箇所で支柱の立設作業を行わなければならない場合に、作業時間の大半を人力による掘削作業に費やす必要がなく、立設した支柱を撤去しなければならなくなったとき、再び広く深い箇所まで掘削を行い、支柱の下端側である地中埋設部に埋設されている根かせを取り出せる状態とし、その上で支柱を撤去する必要のない支柱の立設装置を提供することを目的とするものである。
【課題を解決するための手段】
【０００８】
本発明は、支柱を略垂直方向に立設保持する支柱保持部本体を有し、
前記支柱保持部本体は、前記支柱の基部が遊嵌して保持される筒状の支柱遊嵌部と、前記支柱遊嵌部の底部に連結される固定部と、前記固定部より地面中に向かって打ち込まれ、前記支柱遊嵌部及び固定部を地面上に固着する杭と、を有して構成される、
ことを特徴とし、
または、
前記杭は、前記固定部の外周端内側に設けられた筒状の杭打ちガイド部より地面中に打ち込まれ、打ち込まれた杭は前記杭打ちガイド部の側面から挿入された保持具により引き抜き不可とされて保持されると共に、杭引き抜きの際には、前記保持具を杭外周面より離して、杭を杭打ちガイド部内で遊嵌状態とし、杭上端面に設けられたねじ孔を利用して引き抜き可能とした、
ことを特徴とし、
または、
前記杭の上端面に上方へ突出する雄ねじ部を設け、該杭を板状の位置決めプレートを介して、位置決めして地面中に打ち込むと共に、前記打ち込まれた杭の雄ねじ部を、前記支柱保持部本体の固定部に設けられた貫通孔に貫通させ、前記雄ねじ部にナットを螺挿して前記支柱保持部本体を地面上に固定した、
ことを特徴とし、
または、
前記筒状の支柱遊嵌部側面からは該支柱遊嵌部内に遊嵌した支柱を略垂直に保持すべく複数の調節具が支柱遊嵌部内に向かって挿通され、前記支柱を略垂直方向に向けて保持調節する、
ことを特徴とし、
または、
前記筒状をなす支柱遊嵌部には、支柱遊嵌部内部と外部とを連通する水抜き孔が設けられた、
ことを特徴とし、
または、
支柱を略垂直方向に立設保持する支柱保持部本体を有し、
前記支柱保持部本体は、前記支柱の基部が遊嵌して保持される筒状の支柱遊嵌部と、前記支柱遊嵌部の底部に連結される固定部と、前記固定部より地面中に向かって打ち込まれ、前記支柱遊嵌部及び固定部を地面上に固着する杭と、を有して構成され、
前記支柱保持部本体を構成する支柱遊嵌部と固定部と杭とは略直線状に一体成形されて構成された、
ことを特徴とするものである。
【発明の効果】
【０００９】
本発明による支柱の立設装置であれば、支柱を立設するに際し、支柱の転倒、沈下防止用の補強材料として、支柱の地中埋設部に水平に取り付けた根かせを使用せずに支柱を略垂直方向に立設でき、また根かせを取り付けて埋設するには充分な掘削面積を確保する必要がなく、また掘削用重機が使用できないほど狭い箇所で、掘削作業は人力のみで行わなければならない場合でも作業時間の大半をその掘削作業に費やす必要がなく、さらには、前記支柱の立設施工後に、支柱の撤去作業が必要となったとき、再び深い箇所まで掘削を行い、支柱の地中埋設部に埋まっている根かせを取り出して支柱を撤去する必要のないとの優れた効果を奏する。
【図面の簡単な説明】
【００１０】
【図１】実施例１の支柱保持部本体の構成を説明する説明図である。
【図２】実施例１の杭の構成を説明する説明図である。
【図３】実施例１の使用状態を示す説明図である。
【図４】実施例２の支柱保持部本体の構成を説明する説明図である。
【図５】実施例２の杭の構成を説明する説明図である。
【図６】実施例２の使用状態を示す説明図である。
【図７】実施例３の構成を説明する説明図である。
【図８】実施例３使用状態を説明する説明図である。
【図９】従来例の構成説明図である。
【発明を実施するための形態】
【００１１】
以下、本発明の実施例を図に基づいて説明する。
【００１２】
（実施例１）  
符号１は、略垂直方向に立設しうる支柱を示す。略垂直方向へ立設される前記支柱１の用途については何ら限定されるものではないが、当該支柱１は、長年にわたり、傾斜することなく略垂直方向に立設保持されていることが要求される。
【００１３】
さらに、支柱１の上端において電線などが架設された場合、あるいは先端に配線箱などが取り付けられた場合には、支柱１の上端においける横方向への引っ張り力に対しても充分に抗することが要求されるものとなる。よって、本発明の支柱の立設装置には、強固な地中埋設部の形成が要求される。
【００１４】
本発明の支柱の立設装置では、前記支柱１を略垂直方向に立設保持する支柱保持部本体２を有している。
ここで、前記支柱保持部本体２は、たとえば、略円柱状をなす支柱１の基部３が遊嵌して保持される略円筒状の支柱遊嵌部４を有する。
【００１５】
前記略円筒状をなす支柱遊嵌部４は、遊嵌する支柱１の径より若干大きい径に形成されており、支柱１の基部３が差し込まれて支柱遊嵌部４に遊嵌したとき、支柱遊嵌部４と、該支柱遊嵌部４内に差し込まれる支柱１の基部３との間には複数枚のスペーサ２０が介在されると共に、そのスペーサ２０を押圧して支柱１の基部３を固定する支柱固定具９を有している。
【００１６】
まず、前記支柱遊嵌部４には、支柱１の基部３を差し込んで遊嵌状態とするなどして立設作業が開始される。
次いで、差し込んだ支柱１自体の垂直方向立設状態を保持すべく、支柱１と支柱遊嵌部４との間に、スペーサ２０を介在させていく。
その後、支柱遊嵌部４の側面から複数の支柱固定具９を螺挿して支柱遊嵌部４の内側に突出させる。
すると、複数の支柱固定具９の先端が支柱遊嵌部４内に介在されたスペーサ２０を押圧し、押圧された複数枚のスペーサ２０が支柱１の側面を押圧することで強固に支柱１を立設固定することになる。
【００１７】
前記のごとく、この支柱固定具９の螺挿により支柱遊嵌部４内部のスペーサ２０が支柱１を締め付け固定する構造としてあり、この内部突出量を調整することにより、たとえ支柱遊嵌部４が略垂直方向に向かって設置されておらず、若干傾いていたとしても、支柱１自体を略垂直方向に向けて立設する様補正することもできる。
【００１８】
さらに、前記支柱遊嵌部４の底部には、略直角方向に連結される固定部５が連結して設けられている。図１から理解されるように、当該固定部５は、略四角形の板状をなして形成され、その四隅部外周端の近傍位置には４つの貫通孔６が設けられている。
【００１９】
本実施例において、前記固定部５は、前記のように略四角形をなす板状の部材で形成されており、貫通孔６が四隅部に４つ設けられているが、この実施例に限定されるものではない。たとえば、三角形状でもかまわないし、四角形状以上の多角形状でもかまわない。さらに、円状であってもかまわない。  
なお、４つの貫通孔６の上方には、該貫通孔６の径とほぼ同じ内径の円筒状をなす杭保持具７がおのおの取り付けられており、それら杭保持具７の側面からは前記杭保持具７内に挿入される杭８を固定すべく、杭保持具７の内部に向かって螺挿する杭固定具１５が設けられている。
【００２０】
図３に示すように、杭８は、地中１６深く打ち込まれるよう長尺に形成されており、本実施例では４本の杭８が各々所定の間隔をあけて地中１６深く打ち込まれているため、強固な地中埋設部が形成でき、略垂直方向に支柱１を立設することができるものとなっている。
【００２１】
ここで、支柱１の立設に際しては、前述したように、まず、支柱保持部本体２を所定の支柱１立設位置にセットする。
その際、前記支柱保持部本体２は地面上において略水平位置になるようセットする。そうしないと、立設する支柱１が略垂直方向に立設できないからである。通常水平基準器が用いられ、水平度が計測される。
【００２２】
その後、４つの貫通孔６から杭８を地中１６に打ち込む。杭８の打ち込み後は、杭保持具７の側面に取り付けられている杭固定具１５を内側にねじ込み、それぞれの杭８を固定する。前記したように、４本の杭８は、それぞれ離間して打ち込まれているため、立設された支柱１は、その上方において、たとえ水平方向への引っ張り力で引っ張られたとしても傾斜することなく充分に抗しうることが確認されている。
【００２３】
次いで、支柱遊嵌部４内に支柱１の基部３を遊嵌させ、支柱１の垂直方向を確認した後、支柱遊嵌部４の側面に取り付けられている支柱固定具９をねじ込み、前記支柱１を略垂直方向に立設して固定するのである。
【００２４】
なお、立設した支柱１の解体に際しては、打ち込んだ杭８の上端面に設けられた雌ねじ部１４が使用される。
すなわち、前記雌ねじ部１４に、雄ねじを有する引っ張り装置の雄ねじを螺合し、その状態から上方へ引っ張り上げることで簡単に杭を抜くことができる。
【００２５】
（実施例２）
実施例２に示す支柱の立設装置には、実施例１の支柱の立設装置と異なり、板状の位置決めプレート１０が構成部品として付加され、これが使用される。
すなわち、実施例２の支柱の立設装置は、図４、図５に示すように、支柱遊嵌部４と固定部５を有する支柱保持部本体２と、位置決めプレート１０と杭８とを有して構成されている。
ここで、実施例２での支柱保持部本体２には、実施例１で示される円筒状をなす杭保持具７が設けられておらず、杭８が貫挿する杭貫通孔１１が設けられているだけである（図４参照）。
【００２６】
しかし、この杭貫通孔１１を貫挿する杭８自体に工夫が施されている。
すなわち、図５から理解されるように、本実施例の杭８の上端部には、上方へ向かって突出する雄ねじ部１２が設けられている。そして、前記雄ねじ部１２の下端部と杭８の上端面との境には外側へ張り出す略円状をなす鍔１３が設けられている。さらに、前記雄ねじ部１２の上端面には、杭８の引き抜きの際に利用する雌ねじ部１４が実施例１の杭８と同様に設けられている。
【００２７】
ここで、実施例２での支柱の立設状態につき説明すると、まず、位置決めプレート１０を支柱設置予定の地面上にセットする。この際、位置決めプレート１０はなるべく水平方向にセットできるようにする。この位置決めプレート１０が水平方向にセットできないと、これに直角に接続されている支柱遊嵌部４が略垂直方向にセットされず、ひいては支柱１が略垂直方向に立設できないからである。なお、位置決めプレート１０は、板状であればよく、その形状は限定されない。
【００２８】
次いで、前記位置決めプレート１０に設けられた杭貫通孔１１から本実施例の杭８を地中に打ち込む。本実施例の杭８には、前記したように、鍔１３が設けられており、この鍔１３が位置決めプレート１０の上面に接し、この上面から位置決めプレート１０を地面側に押圧接触するまで前記杭８を打ち込む。
【００２９】
前記杭８を打ち込んだ後、本実施例での支柱保持部本体２をセットする。すなわち、前記打ち込んだ杭８には鍔１３の上方に雄ねじ部１２が突出されており、この雄ねじ部１２を前記支柱保持部本体２の貫通孔６に挿通させ、前記支柱保持部本体２をセットする。
【００３０】
そして、セット後、前記杭８の雄ねじ部１２にナット状をなす締結具１７をねじ込み、杭８と位置決めプレート１０および支柱保持部本体２とを連結し、地面上に支柱保持部本体２を強固に固定する。
【００３１】
その後、支柱遊嵌部４内に支柱１の基部３を遊嵌させ、支柱１の垂直方向の角度を確認した後、支柱遊嵌部４の側面に取り付けられている支柱固定具９をねじ込み、前記支柱１を略垂直方向に立設して固定するのである。
【００３２】
（実施例３）
図７、図８は本発明の第３実施例を示す。
本実施例において、支柱１を略垂直方向に立設保持する支柱保持部本体２と、固定部５と杭８は略直線状に一体成形されて構成されている。
【００３３】
すなわち、杭８は、１本だけの使用であり、その杭８の上方に支柱保持部本体２と固定部５とが設けられ、全体として略一直線状をなして構成されているのである。
【００３４】
本実施例では、他の実施例１や実施例２と比較し、支柱保持部本体２の構成がシンプルで、部品点数も少ない。しかし、支柱１を１本の杭８で把持しなければならないため、比較的長尺な杭８を用い、地中深く打ち込む必要がある。
また、支柱１についても短い支柱１の立設で、作業が行いづらい狭い箇所での支柱立設に適している。
【００３５】
本実施例での支柱保持部本体２は、図７に示すように、前記支柱１の基部３が遊嵌して保持される筒状の支柱遊嵌部４は、固定部５を介して杭８の先端に連結されて取り付けられている。
ここで、固定部５は、杭８の先端において、杭８と略直角方向に取り付けられ、外側に向かって張り出す張り出し部１８を有して構成されている。
【００３６】
さらに、張り出し部１８の裏面には、前記固定部５を強固に杭８に取り付けるべく三角形状をなす補強部材１９が取り付けられている。これによって、固定部５のみならず、固定部５の上部に連結された支柱保持部本体２並びに支柱保持部本体２に保持される支柱１をも強固に杭８で保持されるものとなる。
【００３７】
実施例３を使用して支柱１を立設するには、支柱保持部本体２の上面側から打ち込み機などで地中に打ち込み、杭８を地中内に打ち込んでいく。
この際、支柱保持部本体２が垂直方向に立設するよう打ち込んでいかなければならない。すなわち、傾斜して杭８を打ち込むと、支柱保持部本体２も傾斜してしまうからである。
【００３８】
そして、図８に示すように、補強部材１９が地中内に埋没するまで打ち込む。すると、固定部５の裏面が地面に密着するとともに、前記補強部材１９が地面に食い込み、もって強固に立設する支柱１を保持することができる。さらに、補強部材１９の地面への食い込みにより、支柱保持部本体２が回転することもない。
【００３９】
杭８の打ち込み後は、支柱遊嵌部４内に支柱１の基部３を遊嵌させ、支柱１の垂直方向を確認した後、支柱遊嵌部４の側面に取り付けられている支柱固定具９をねじ込み、前記支柱１を略垂直方向に立設して固定するのである。
【００４０】
なお、実施例１、実施例２および実施例３において、筒状をなす支柱遊嵌部４の側面下側に、内部の空間と外側を連通する水抜き孔２１を設けておくことが好ましい。そしてこの水抜き孔２１の大きさや数については何ら限定されない。しかしながら、図１、図４、図７に示すような大きさで、支柱遊嵌部４の側面において対向する位置に２カ所程度設けておくものとする。
この水抜き孔２１があれば、支柱遊嵌部４内に水がたまらず、防錆措置を施すことと相まって装置の耐久性を大きく向上させることができる。
【符号の説明】
【００４１】
１     支柱
２     支柱保持部本体
３     基部
４     支柱遊嵌部
５     固定部
６     貫通孔
７     杭保持具
８     杭
９     支柱固定具
１０   位置決めプレート
１１   杭貫通孔
１２   雄ねじ部
１３   鍔
１４   雌ねじ部
１５   杭固定具
１６   地中
１７   締結具
１８   張り出し部
１９   補強部材
２０  スペーサ
２１  水抜き孔
【図１】
2018035578.tif 000003
【図２】
2018035578.tif 000004
【図３】
2018035578.tif 000005
【図４】
2018035578.tif 000006
【図５】
2018035578.tif 000007
【図６】
2018035578.tif 000008
【図７】
2018035578.tif 000009
【図８】
2018035578.tif 000010
【図９】
2018035578.tif 000011